(57)【特許請求の範囲】
【請求項１】
データを受信する不連続受信アクティブ期間と、前記不連続受信アクティブ期間の開始からギャップパターンの開始までの時間を示すオフセットの長さとに基づいて、現不連続受信サイクルにおいてギャップパターンを開始するか、または次の不連続受信サイクルにおいてギャップパターンを開始するかを決定するギャップ確認手段と、
決定された不連続受信サイクルにおいてギャップパターンを生成するギャップパターン設定手段と、
を具備する無線通信端末装置。
【請求項２】
自装置における受信状態に応じて、ギャップパターンの周期を制御することにより、サービングセル以外の隣接セルにおける周波数を測定する頻度を制御すると共に、制御した前記ギャップパターンの周期をサービングセルにおける無線通信基地局装置に通知するギャップ情報生成手段を具備する請求項１に記載の無線通信端末装置。
【請求項３】
前記ギャップ確認手段は、自装置からのＣＱＩ報告に要する時間を含めたギャップパターン期間パラメータと、前記不連続受信アクティブ期間とに基づいて、ギャップパターンを開始する不連続受信サイクルを決定する請求項１に記載の無線通信端末装置。
【請求項４】
前記ギャップ確認手段は、サービングセルの無線品質が所定の閾値を下回った場合、ギャップパターンを開始することを決定する請求項１に記載の無線通信端末装置。
【請求項５】
前記ギャップ情報生成手段は、測定対象を示す測定タイプに応じて、前記ギャップパターンのギャップ長を決定する請求項２に記載の無線通信端末装置。
【請求項６】
データを受信する不連続受信アクティブ期間と、前記不連続受信アクティブ期間の開始からギャップパターンの開始までの時間を示すオフセットの長さとに基づいて、現不連続受信サイクルにおいてギャップパターンを開始するか、または次の不連続受信サイクルにおいてギャップパターンを開始するかを決定するギャップ確認ステップと、
決定された不連続受信サイクルにおいて無線通信端末装置がギャップパターンを生成するギャップパターン設定ステップと、
を具備する無線通信方法。
【発明の詳細な説明】
【技術分野】
【０００１】
本発明は、無線通信端末装置及び無線通信方法に関する。
【背景技術】
【０００２】
３ＧＰＰ ＬＴＥ（3rd Generation Partnership Project Long Term Evolution）等に代表されるセルラー通信システムにおいて、移動局（以下、ＵＥ（User Equipment）という）はハンドオーバーなどの移動制御を行うため、測定処理を行う必要がある。この測定には、イントラ周波数測定（intra-frequency measurement）と、ギャップを使用したインター周波数測定（inter-frequency measurement）及びインターシステム測定（inter-system measurement）があり、セルラー通信システムはこれらの測定をサポートする必要がある。なお、ギャップを使用したインター周波数測定及びインターシステム測定をギャップ利用測定ということがある。
【０００３】
ギャップ利用測定を行うためには、ＵＥは、キャリア周波数の異なる別のセル、または別のシステムからの信号を受信する必要があり、ＵＥ自身の受信装置をソースセルの周波数から、隣接セルの別の周波数または別のシステムに調整しなければならない。また、ＵＥが隣接セルの測定を行うためには、ＵＥにギャップ（以下、アイドル期間ともいう）を設けなければならない。
【０００４】
サービング基地局とＵＥとの間でギャップのタイミングを同期させるため、ギャップを開始する明示的な開始位置が設定される。また、ギャップは周期的な配列になっており、この周期的なギャップをギャップパターンという。このギャップパターンは、測定を行うために長期間にわたり設定する必要がある。したがって、ＵＥは、ギャップパターンの割り当てに基づいて、ギャップ利用測定を行うことによって、通信状態においても別のキャリア周波数または別のシステムへの移動制御をサポートすることができる。さらには、不連続受信（ＤＲＸ）が行われている場合でも、ギャップがアクティブになった後にのみ測定できるようになっている。
【０００５】
また、ギャップは上記の測定処理の他に、特定のセルの報知情報（Broadcast information, System informationとも呼ぶ）を受信する際にも用いられる。具体的には、ＣＳＧ（Closed Subscriber Group）セルと呼ばれる特定のＵＥのみがアクセスできるセルに対してアクセス権があるか否かを、報知情報に含まれているそのセルのＣＳＧ識別子（CSG identifier）とＵＥが持っているアクセス可能なＣＳＧ識別子リストとを比較して判断する場合にもギャップが用いられる。ＵＥは、サービング基地局との通信中に他セルからの報知情報を受信できないため、ギャップを使用して、他セルの報知情報を取得することとなる。
【０００６】
ところで、ギャップパターンの開始に明示的なシグナリングを使用すると、ＵＥが測定を開始するまでの遅延が予想される。これは、基地局にてギャップを生成するための判断にかかる遅延と、ギャップパターンの開始を指示するシグナリングの送信にかかる遅延があるためである。
【０００７】
そこで、従来、明示的なシグナリングでギャップを指定せずに、ＤＲＸを用いて測定する方法や、非特許文献１に開示されている明示的なシグナリングでギャップを指定せずに測定したＣＱＩ値に基づいて、測定を開始する方法などが考えられている。前者の方法は、ギャップパターンを明示的に設定する必要がなく、ＵＥが早期に測定を開始することができる。
【０００８】
後者の方法は、非特許文献１に開示されているように、ＣＱＩ値が所定の閾値または設定された閾値よりも小さい場合、ＵＥは、ギャップを使用することによって自発的に測定手順を開始する。基地局は、ＵＥが測定を開始したことを暗示するＣＱＩ報告を受信するので、ＵＥが測定を開始したことを検出できる。
【先行技術文献】
【非特許文献】
【０００９】
【非特許文献１】R2-061922, 3GPP RAN2 document
【発明の概要】
【発明が解決しようとする課題】
【００１０】
しかしながら、前者の方法は、測定に使用できるタイムスロットであるＤＲＸスリープ期間が一定ではないため、ＵＥが測定を行うための十分なタイムスロットを保証することができない。これは、ＵＥがデータを受信するためのタイムスロットであるＤＲＸアクティブ期間が延長されることがある（その間にＵＥはＰＤＣＣＨを正常に復号化することができる）ためである。すなわち、ＤＲＸアクティブ期間が延びることにより、ＤＲＸスリープ期間を短縮しなければならない。
【００１１】
このため、指定されたＤＲＸスリープ期間内ではＵＥが測定を行う時間が減少してしまうので、十分なスロットが確保できるまで測定を先延ばしする必要がある。この結果、ハンドオーバーを実施するのに時間がかかることになる。
【００１２】
また、後者の方法は、ＵＥのチャネル品質は動的に変化するため、ＵＥが測定を行うための十分なタイムスロットを保証することができない。具体的には、ＵＥが長いギャップパターンを使用して測定した場合、報告されるＣＱＩ値が突然大きく変化することがあり、測定を途中で終了または中断することがある。これにより、ＵＥの構成上の複雑さが増大する。
【００１３】
本発明の目的は、無線通信端末装置の構成上の複雑さを増大することなく、ハンドオーバーの実施に要する時間を短縮する無線通信端末装置及び無線通信方法を提供することである。
【課題を解決するための手段】
【００１４】
本発明の無線通信端末装置は、データを受信する不連続受信アクティブ期間と、前記不連続受信アクティブ期間の開始からギャップパターンの開始までの時間を示すオフセットの長さとに基づいて、現不連続受信サイクルにおいてギャップパターンを開始するか、または次の不連続受信サイクルにおいてギャップパターンを開始するかを決定するギャップ確認手段と、決定された不連続受信サイクルにおいてギャップパターンを生成するギャップパターン設定手段と、を具備する構成を採る。
【００１５】
本発明の無線通信方法は、データを受信する不連続受信アクティブ期間と、前記不連続受信アクティブ期間の開始からギャップパターンの開始までの時間を示すオフセットの長さとに基づいて、現不連続受信サイクルにおいてギャップパターンを開始するか、または次の不連続受信サイクルにおいてギャップパターンを開始するかを決定するギャップ確認ステップと、決定された不連続受信サイクルにおいて無線通信端末装置がギャップパターンを生成するギャップパターン設定ステップと、を具備するようにした。
【発明の効果】
【００１６】
本発明によれば、無線通信端末装置の構成上の複雑さを増大することなく、ハンドオー
バーの実施に要する時間を短縮することができる。
【図面の簡単な説明】
【００１７】
【図１】本発明の実施の形態１に係るＵＥの構成を示すブロック図
【図２】本発明の実施の形態１に係る基地局の構成を示すブロック図
【図３】図１に示したＵＥと図２に示した基地局とのシグナリングフローを示す図
【図４】図１に示したＵＥの動作を示すフロー図
【図５】本発明の実施の形態２に係るＵＥの構成を示すブロック図
【図６】図５に示したＵＥがギャップ情報パラメータを決定する動作を示すフロー図
【図７】図５に示したＵＥと図２に示した基地局とのシグナリングフローを示す図
【図８】本発明の実施の形態３に係るＵＥの構成を示すブロック図
【図９Ａ】図８に示したＵＥと図２に示した基地局とのシグナリングフローを示す図
【図９Ｂ】図８に示したＵＥと図２に示した基地局とのシグナリングフローを示す図
【図１０】図８に示したＵＥがＵＥ主導ＧＰ情報パラメータを決定する方法を示すフロー図
【図１１】図８に示したＵＥがＵＥ主導ＧＰを使用する方法を示すフロー図
【図１２】本発明の実施の形態４に係るＵＥの構成を示すブロック図
【図１３】図１２に示したＵＥと図２に示した基地局とのシグナリングフローを示す図
【図１４】図１２に示したギャップ修正確認部の動作を示すフロー図
【図１５】本発明の実施の形態５に係るＵＥの構成を示すブロック図
【図１６】図１５に示したＵＥと図２に示した基地局とのシグナリングフローを示す図
【図１７】図１５に示した測定及び複数ギャップ情報生成部の動作を示すフロー図
【図１８】本発明の実施の形態６に係るＵＥの構成を示すブロック図
【図１９】図１８に示したＵＥの動作を示すフロー図
【図２０】図１８に示したＵＥに対するシグナリングフローを示す図
【図２１】ＳＩＢ１受信の動作を示す図
【発明を実施するための形態】
【００１８】
以下、本発明の実施の形態について、図面を参照して詳細に説明する。ただし、実施の形態において、同一機能を有する構成には同一符号を付し、重複する説明は省略する。
【００１９】
（実施の形態１）
図１は、本発明の実施の形態１に係るＵＥ１００の構成を示すブロック図である。この図において、受信部１０１は、測定設定情報及びギャップパターン設定情報を専用の制御シグナリングによってネットワークから受信する。このようなシグナリングの例としては、3GPP TS 36.331に定義されているＲＲＣ接続再設定（RRC Connection Reconfiguration）メッセージに含まれる測定設定（Measurement Configuration）情報がある。受信部１０１は、これらの設定情報を受信すると、測定設定情報を測定部１０２に出力し、設定されたギャップパターンパラメータをギャップパターン設定部１０４に出力する。
【００２０】
ここで、測定設定情報としては、測定設定を管理するための識別子である測定ＩＤ（measurement id）、測定対象のシステム、周波数、セル等を示す測定オブジェクト（measurement object）、測定を報告するイベント（event）等を規定するレポーティングコンフィギュレーション（reporting configuration）等がある。ギャップパターン設定情報としては、別のシステム、別のキャリア周波数を測定するためのギャップパターンの情報（ギャップの長さ、ギャップの周期）に加えて、ギャップを開始する位置を決定するためのＵＥ主導ＧＰ開始オフセット等がある。
【００２１】
測定部１０２は、受信部１０１から出力された測定設定情報を取得すると、取得した測定設定情報を格納すると共に、入力される物理層基準信号（以下、単に基準信号という）
に基づいて、測定を開始する。また、測定部１０２に格納されている測定設定情報にサービングキャリア周波数及びその他のキャリア周波数の設定情報（すなわち、3GPP TS 36.331に定義されているイントラ周波数及びインター周波数の測定設定）の両方が含まれている場合、測定部１０２は、入力された基準信号に基づいて測定を行う。なお、測定部１０２は、セルサーチ手順と、サービングキャリア周波数の測定手順とを実行することができる。レポーティングを目的とした、サービングキャリア周波数測定のイベントがトリガーされると、測定部１０２は、サービングキャリア周波数測定の結果を測定レポート生成部１０３に出力する。なお、ここでのイベントの例としては、「サービングキャリア周波数の品質が特定の閾値より悪くなった」、「ＣＳＧセルが検出され、ＣＳＧセルの報知情報を受信することが必要となった」などである。
【００２２】
測定レポート生成部１０３は、測定部１０２から出力された測定結果をレポーティングメッセージに含めて、レポーティングメッセージを基地局に送信する。このレポーティングメッセージは、測定レポート（measurement report）、またはイントラ周波数測定レポートということがある。測定レポートがＵＥ１００から基地局に正常に送信されると、測定レポート生成部１０３がレポーティング成功通知信号をギャップ確認部１０５に出力する。
【００２３】
ギャップパターン設定部１０４は、受信部１０１から出力されたギャップパターンパラメータを格納すると共に、ギャップパターンパラメータをギャップ確認部１０５に出力する。なお、ギャップパターンパラメータは、ネットワークの動作及び構成に応じて異なる形式とすることができる。また、ギャップパターンパラメータとしては、ＤＲＸアクティブ期間の開始からＵＥ主導ギャップパターン（以下、「ＵＥ主導ＧＰ」という）の開始までの時間を示すＵＥ主導ＧＰ開始オフセット（ＵＥ主導ＧＰ開始位置、ＵＥ主導ＧＰオフセット、ＵＥ主導ＧＰ位置、ＵＥ主導ＧＰアクティブ化時間とも言う）がある。
【００２４】
ギャップ確認部１０５は、ギャップパターン設定部１０４から出力されたギャップパターンパラメータ及び測定レポート生成部１０３から出力されたレポーティング成功通知信号に基づいて、ＵＥ主導ＧＰを開始する位置を決定する。この開始位置とは、ＵＥ１００が、測定を行うためのギャップを開始する位置である。ギャップ確認部１０５は、ＵＥ主導ＧＰを開始する位置を、ＤＲＸ時のアクティブ期間とＵＥ主導ＧＰ開始オフセットとの間の関係に基づいて決定する。ＵＥ主導ＧＰ開始オフセットの起点は、測定レポートが基地局２００に正常に送信されたＤＲＸサイクル（１つのＤＲＸサイクルは、１つのＤＲＸアクティブ期間と、このＤＲＸアクティブ期間に後続する１つのＤＲＸスリープ期間とからなる）の起点に基づいて、ＵＥ１００が求める。ＵＥ１００は、測定レポートを送信する時点で、延長されたＤＲＸアクティブ期間がＵＥ主導ＧＰ開始オフセットより前に終了するか否かを確認する。延長されたＤＲＸアクティブ期間がＵＥ主導ＧＰ開始オフセットの前に終了するか後に終了するかに応じて、ＵＥ１００は以下の動作を行う。
【００２５】
（１）延長されたＤＲＸアクティブ期間がＵＥ主導ＧＰ開始オフセットの前に終了する場合、ＵＥ１００は、現在のＤＲＸサイクル内においてＤＲＸアクティブ期間がＵＥ主導ＧＰと重ならないと考えられる。したがって、ＵＥ１００は、現在のＤＲＸサイクルにおいてＵＥ主導ＧＰをアクティブにする。
【００２６】
（２）延長されたＤＲＸアクティブ期間がＵＥ主導ＧＰ開始オフセットの後に終了する場合、ＵＥ１００は、現在のＤＲＸサイクル内においてＤＲＸアクティブ期間がＵＥ主導ＧＰと重なると考えられる。したがって、ＵＥ１００は、次のＤＲＸサイクルにおいてＵＥ主導ＧＰをアクティブにする。
【００２７】
ギャップ確認部１０５は、上記の通り、ＵＥ主導ＧＰをアクティブにするタイミングを
決定し、決定したタイミングをＵＥ主導ＧＰ設定部１０６に出力する。
【００２８】
ＵＥ主導ＧＰ設定部１０６は、ギャップ確認部１０５から出力されたタイミングに基づいて、ＵＥ主導ＧＰを開始する位置を決定し、それに従ってギャップパターンを生成する。
【００２９】
このようにして、ＵＥ１００は、ＵＥ主導ＧＰを使用して隣接セルの別のキャリア周波数、または別のシステムを測定することができる。トリガーされた別のキャリア周波数の測定について、レポーティングのイベント基準が満たされると、ＵＥ１００は、測定結果を測定レポートによって基地局２００に送信する。
【００３０】
図２は、本発明の実施の形態１に係る基地局２００の構成を示すブロック図である。この図において、別のキャリア周波数、または別のシステムに関する測定がＵＥ１００において必要であると判定されると、測定設定部２０１は、インター周波数測定またはインターＲＡＴ測定（inter-RAT measurement）のための測定パラメータを決定する。これらの測定パラメータは専用信号生成部２０３に出力される。
【００３１】
ギャップパターン設定部２０２は、設定されているアイドル期間（すなわち、ＤＲＸサイクル）に基づいて、ＵＥ主導ＧＰ開始オフセットを決定する。ＵＥ主導ＧＰ開始オフセットは、現在の設定されているＤＲＸサイクルに基づくものであるため、ＵＥ主導ＧＰ開始オフセットの長さは、設定されているＤＲＸサイクルよりも長くてはいけない。ＵＥ主導ＧＰ開始オフセットは、ＵＥ１００が、結果としてＤＲＸアクティブ期間と重なることなく、ＵＥ主導ＧＰの開始位置を決定することを目的とする。ギャップパターン設定部２０２は、ＵＥ主導ＧＰ開始オフセットを専用信号生成部２０３に出力する。
【００３２】
専用信号生成部２０３は、設定されたＵＥ主導ＧＰ開始オフセット及び測定情報の送信先である特定のＵＥ１００を決定し、そのＵＥ１００へのダウンリンク専用シグナリング（測定設定情報及びＵＥ主導ＧＰ開始オフセットを含む）を生成する。このシグナリングを送信部２０４に出力し、ＵＥ１００に送信する。このようなダウンリンク専用シグナリングの例は、3GPP TS 36.331に定義されているＲＲＣ接続再設定メッセージに含まれる測定設定情報である。
【００３３】
図３は、図１に示したＵＥ１００と図２に示した基地局２００とのシグナリングフローを示す図である。基地局は、まず、ギャップパターン設定情報及び測定設定情報を設定する。基地局は、これらの設定情報をＵＥ１００に送信する。ＵＥ１００は、基地局２００から送信された設定情報を受信及び処理する。
【００３４】
別のキャリア周波数を測定するためのアイドル期間が必要な場合、ＵＥ１００は、ギャップパターンの基準に基づいてＵＥ主導ＧＰの設定を決定する。測定レポート生成部１０３において、このＵＥ主導ＧＰ設定情報を測定結果と共に生成し、アップリンク専用制御シグナリング（以下、「測定レポート」ともいう）を通じて基地局２００に送信する。
【００３５】
測定レポートが基地局２００に正常に送信された後、ギャップ確認部１０５において、設定されたギャップパターンパラメータ（以下、「ＵＥ主導ＧＰ開始オフセット」ともいう）を使用して、ＵＥ主導ＧＰを開始する。ギャップ確認部１０５は、ＵＥ主導ＧＰをアクティブにする結果として、延長されたＤＲＸアクティブ期間内において割り当てられているデータリソースと重ならないかを判定する。この判定は、延長されたＤＲＸアクティブ期間の長さとＵＥ主導ＧＰ開始オフセットの長さとを比較することによって行われる。
【００３６】
測定レポートが正常に送信され、延長されたＤＲＸアクティブ期間がＵＥ主導ＧＰ開始
オフセットによって示されるタイミングより前に終了する場合、ＵＥ１００は、ＵＥ主導ＧＰ開始オフセットによって示されるタイミングの後に、ＵＥ主導ＧＰを現在のＤＲＸサイクルにおいて開始してもデータが測定と重ならないと考えられる。したがって、ＵＥ１００は、ＤＲＸオン期間（On-Duration）の直前にＵＥ主導ＧＰを開始することができる。
【００３７】
測定レポートが正常に送信され、延長されたＤＲＸアクティブ期間が、ＵＥ主導ＧＰ開始オフセットによって示されるタイミングの後に終了する場合、ＵＥ１００は、ＵＥ主導ＧＰ開始オフセットによって示されるタイミングの後に、ＵＥ主導ＧＰをアクティブにしても、ＤＲＸアクティブ期間が測定と重なることが考えられる。したがって、データと測定の重なりの発生を回避するため、ＵＥ１００は、次のＤＲＸサイクルにおいて、ＵＥ主導ＧＰ開始オフセットによって示されるタイミングの後にＵＥ主導ＧＰを開始する。
【００３８】
上記の動作を詳しく説明するため、次の例においては、ＵＥ主導ＧＰ開始オフセットの単位はサブフレームの数に基づき、ＵＥ１００において実行されているサービスはビデオストリーミングとする。
【００３９】
ＬＴＥにおいては、インター周波数Ｅ−ＵＴＲＡ及びインターＲＡＴ（３ＧＰＰシステム）の場合、単一のギャップ長を使用する。
【００４０】
ギャップ長＝６サブフレーム
ＵＥ主導ＧＰ開始オフセット＝２５サブフレーム
ＤＲＸサイクル＝４０サブフレーム
ＤＲＸオン期間＝１０サブフレーム
ＤＲＸ非アクティブタイマー＝５サブフレーム
ＤＲＸ開始タイミング＝５番目のサブフレーム
【００４１】
ＵＥ１００は、別のキャリア周波数、または別のシステムの無線条件を測定する必要性があるという判断が、自周波数の品質により行われた、すなわち、自周波数の品質劣化によるレポーティングのイベント基準が満たされると、評価した測定結果を測定レポートに含めて基地局２００に送信する。
【００４２】
次の例においては、延長されたＤＲＸアクティブ期間が終了し、その同じＤＲＸサイクル内において測定レポートがすでに送信されたものと想定する。
【００４３】
延長されたＤＲＸアクティブ期間＝ＤＲＸ開始タイミング＋ＤＲＸオン期間＋ＤＲＸ非アクティブタイマー＝５＋１０＋５＝２０番目のサブフレーム
ＵＥ主導ＧＰの開始タイミング＝ＤＲＸ開始タイミング＋ＵＥ主導ＧＰ開始オフセット＝５＋２５＝３０番目のサブフレーム
ＵＥ主導ＧＰ開始オフセットによって示されるタイミングより前に、延長されたＤＲＸアクティブ期間が先に終了するため、ＵＥ１００は、図示したように現在のＤＲＸサイクル内においてＵＥ主導ＧＰをアクティブにする。
【００４４】
残りのＤＲＸサイクル＝ＤＲＸサイクル−ＵＥ主導ＧＰのアクティブ化＝４０−３０＝１０サブフレーム
このように、残りのＤＲＸサイクル（１０サブフレーム）は、ギャップ長（６サブフレーム）より長い。したがって、ＵＥ１００は、現在のＤＲＸサイクルにおいて、結果としてＤＲＸアクティブ期間と測定とが重なることなく、ＵＥ主導ＧＰを使用することができる。
【００４５】
上記の方法は、本発明においてどのようにＵＥ１００と基地局２００とで必要な情報（例えば、ＵＥ主導ＧＰ開始オフセット）をやり取りするかを示す１つの方法であり、別の方法、例えば、基地局２００とＵＥ１００との間で、無線リソース制御及びメディアアクセス制御（ＭＡＣ）によるシグナリングを使用することも可能である。
【００４６】
次に、ＵＥ１００が、測定レポートのトリガーに基づいてＵＥ主導ＧＰ開始オフセットを使用する方法について図４を用いて説明する。
【００４７】
図４は、図１に示したＵＥ１００の動作を示すフロー図である。この図において、ステップ（以下、「ＳＴ」と省略する）３０１では、測定レポート生成部１０３が測定レポートを基地局２００に送信する。
【００４８】
ＳＴ３０２では、測定が正常に行われると、ギャップ確認部１０５は、ＤＲＸアクティブ期間のチェック手順において、ＵＥ主導ＧＰ開始オフセットを使用して、ＤＲＸアクティブ期間がギャップパターンを開始した場合に重ならないかを確認する。ＤＲＸアクティブ期間がギャップパターンと重なる（ＹＥＳ）場合、ＳＴ３０３に移行し、ＤＲＸアクティブ期間がギャップパターンと重ならない（ＮＯ）場合、ＳＴ３０４に移行する。
【００４９】
ステップＳＴ３０３では、ギャップ確認部１０５は、次のＤＲＸサイクルの起点を基準としてＵＥ主導ＧＰ開始オフセットの長さを使用してギャップパターンを開始する位置を決定する。次のＤＲＸサイクルにおいて、ＵＥ１００はＵＥ主導ＧＰを開始する。
【００５０】
ＳＴ３０４では、インター周波数Ｅ−ＵＴＲＡ、インターＲＡＴ ＵＴＲＡＮ、インターＲＡＴ ＧＥＲＡＮ、インターＲＡＴ ＣＤＭＡ２０００などの各測定に要求されるギャップ長と、ＵＥ主導ＧＰ情報パラメータに含まれているギャップ反復（gap repetition）（ＵＥ主導ＧＰの基準に基づいてＵＥ１００が決定する）とに基づいて、ＵＥ主導ＧＰ設定部１０６がＵＥ主導ＧＰを開始する。
【００５１】
このように実施の形態１によれば、延長されたＤＲＸアクティブ期間とＵＥ主導ＧＰ開始オフセットとの長さの関係に応じて、ＵＥ主導ＧＰを現在のＤＲＸサイクルにおいて開始するか、次のＤＲＸサイクルにおいて開始することにより、無線通信端末装置の構成上の複雑さを増大することなく、ハンドオーバーの実施に要する時間を短縮することができる。
【００５２】
（実施の形態２）
図５は、本発明の実施の形態２に係るＵＥ４００の構成を示すブロック図である。図５が図１と異なる点は、測定レポート生成部１０３を測定及びギャップ情報生成部４０１に変更した点である。
【００５３】
測定及びギャップ情報生成部４０１は、ＵＥ主導ＧＰを用いた測定を行う際のギャップパターンを示す情報であるギャップ情報パラメータを決定し、このパラメータをレポーティングメッセージ（例えば、Measurement report message、またはその他のメッセージ）を用いて基地局に報告する。ギャップ情報パラメータは、ＵＥ４００においてのみ利用可能な情報、例えば、ユーザーが個々に端末に行った設定、デバイス上で実行中のアプリケーション、またはユーザーの移動速度等に基づいて決められる。
【００５４】
ＵＥ４００は、このような基準によって、ＵＥ主導ＧＰを使用した測定を実行する際に使用するギャップパターンを決定することができる。したがって、ＵＥ４００は、ギャップパターンを決定するためのギャップ情報パラメータを自由に設定できる。ＵＥ４００は、測定結果をレポーティングメッセージによって基地局２００に送信する。このレポーテ
ィングメッセージは、測定レポート、または3GPP TS 36.331に定義されているようにイントラ周波数測定レポートともいう。以下、このレポーティングメッセージを測定レポートと称する。
【００５５】
測定及びギャップ情報生成部４０１は、測定レポートがＵＥ４００から基地局２００に正常に送信されると、レポーティング成功通知信号をギャップ確認部１０５に出力する。
【００５６】
このようにして、ＵＥ４００は、基地局２００との間でギャップパターンの同期を確保することができる。したがって、データがＵＥ主導ＧＰと重ならず、パケット消失が生じない。
【００５７】
次に、ＵＥ４００がＵＥ主導ＧＰ情報パラメータを決定する方法について図６を用いて説明する。図６は、図５に示したＵＥ４００がギャップ情報パラメータを決定する動作を示すフロー図である。
【００５８】
ＳＴ５０１では、ＵＥ４００は、別のキャリア周波数を測定する必要があると、ＵＥ主導ＧＰを使用して測定を行うためのギャップパターンを決定する手順を開始する。基準としては、ＵＥ４００の移動速度の指標となるフェージング信号と、現在のサービングセルの瞬間的な品質値等を使用することができる。具体的には、移動速度が速い場合、現在のサービングセルの品質が悪い場合等には速く移動処理を行う必要があると考えられるため、別のキャリア周波数、または別のシステムの測定を早く行うなどである。
【００５９】
また、その他の手段としては、検出したＣＳＧセルの数に応じて頻度を変えることも可能である。例えば、検出したＣＳＧセルの数が多い時には、報知情報を受信するためのギャップが多く必要であるため、ギャップの頻度を多くし、検出したＣＳＧセルの数が少ないときには報知情報を受信するためのギャップの頻度を少なくすることが考えられる。
【００６０】
ＳＴ５０２では、ＵＥ４００は、ギャップパターンを選択する基準に基づいて、ＵＥ主導ＧＰを使用した測定の頻度を決定する。具体的には、ＵＥ４００がＵＥ主導ＧＰを使用して測定する頻度を決定し、測定頻度が高いか否かを判定する。上記の通り移動速度またはサービングセルの品質により測定頻度が所定の閾値より高い（ＹＥＳ）と判断された場合、ＳＴ５０３に移行し、測定頻度が所定の閾値より低い（ＮＯ）と判断された場合、ＳＴ５０４に移行する。
【００６１】
ＳＴ５０３では、ＵＥ４００は、ＵＥ主導ＧＰを使用した測定頻度が増大するように、短い周期のＵＥ主導ＧＰを使用する。具体的には、指定されているギャップ長はそのままに短いギャップ周期を設定する。これらの設定されたギャップ情報パラメータ（以下、ＵＥ主導ＧＰ情報パラメータともいう）は、短いギャップ周期パラメータ、ギャップ識別情報パラメータなどの情報を含んでいる。
【００６２】
ＳＴ５０４では、ＵＥ４００は、ＵＥ主導ＧＰを使用した測定頻度が減少するように、長いギャップ周期のＵＥ主導ＧＰを使用した測定をする。具体的には、指定されているギャップ長はそのままに長いギャップ周期を設定する。ＵＥ主導ＧＰ情報パラメータは、長いギャップ周期パラメータ、ギャップ識別情報パラメータなどの情報を含んでいる。
【００６３】
ＳＴ５０５では、ＵＥ主導ＧＰ情報パラメータと測定結果とを生成し、基地局２００に送信する測定レポートに含める。ＵＥ主導ＧＰ情報パラメータを測定レポートに含める目的は、ＵＥ４００が、指定されているギャップ長と、ＵＥ４００によって決定されたギャップ周期とに基づくＵＥ主導ＧＰを使用して測定を開始することを、基地局２００に通知することである。したがって、ＵＥ主導ＧＰ情報パラメータを測定レポートに含めること
によって、基地局２００とＵＥ４００との間でＵＥ主導ＧＰを同期させることができる。
【００６４】
次に、各種の基準を用いたときのＵＥ４００の動作について説明する。まず、フェージング信号を基準に用いた場合について説明する。
【００６５】
フェージング信号がＵＥ４００の高速移動を示す場合、ＵＥ４００は、ハンドオーバー（モビリティ）の可能性が高いことが予想される。したがって、測定頻度を高める必要がある。ＵＥ４００は、短い周期のギャップパターンを設定し、より頻繁に測定を行う。
【００６６】
一方、フェージング信号がＵＥ４００の低速移動を示す場合、ＵＥ４００は、ハンドオーバーの可能性が低いことが予想される。したがって、測定頻度を下げることが可能となる。ＵＥ４００は、長い周期のギャップパターンを設定し、より少ない頻度で測定を行う。
【００６７】
続いて、現在のサービングセルの瞬間的な品質値を基準に用いた場合について説明する。
【００６８】
瞬間的な品質値が悪化してきた場合、ＵＥ４００は、基地局２００からの受信状態が不良になることが予想される。これは、ＵＥ４００が接続性を確保するためにハンドオーバーを実行する必要があることを意味する。したがって、測定頻度を高める必要があり、ＵＥ４００は、短い周期のギャップパターンを設定する。
【００６９】
一方、瞬間的な品質値が良好になってきた、または良好な場合、ＵＥ４００がハンドオーバーを実行する必要性は低い。したがって、ＵＥ４００のモビリティに関する測定頻度を下げることが可能となる。ＵＥ４００は、長い周期のギャップパターンを設定し、より少ない頻度で測定を行う。
【００７０】
図７は、図５に示したＵＥ４００と図２に示した基地局２００とのシグナリングフローを示す図である。この図では、ＵＥ４００と基地局２００との間でギャップパターンの同期を確保する場合について説明する。
【００７１】
基地局２００は、ＲＲＣ（Radio Resource Control）を用いて、ギャップパターン設定情報及び測定設定情報を設定する。基地局２００は、これらの設定情報を送信部２０４からＵＥ４００に送信する。ＵＥ４００では、基地局２００から送信されたメッセージを受信し、これらの設定情報を処理する。
【００７２】
別のキャリア周波数を測定するためのアイドル期間が必要である場合、ＵＥ４００は、ギャップパターンの基準に基づいて、ＵＥ主導ＧＰの設定を決定する。測定及びギャップ情報生成部４０１は、このＵＥ主導ＧＰ設定情報と、評価した測定結果とを生成し、アップリンク専用制御シグナリングによって基地局２００に送信する。
【００７３】
ＵＥ主導ＧＰを含んでいる測定レポートが基地局２００に正常に送信された後、ギャップ確認部１０５において、設定されたギャップパターンパラメータ（ＵＥ主導ＧＰ開始オフセット）を使用して、ＵＥ主導ＧＰのギャップ確認を実行する。ギャップ確認部１０５は、ＵＥ主導ＧＰを開始した場合に、ＤＲＸアクティブ期間とギャップが重ならないかを判定する。この判定は、延長されたＤＲＸアクティブ期間の長さとＵＥ主導ＧＰ開始オフセットの長さとを比較することによって行われる。この動作は、実施の形態１で説明した内容と同じであるため、説明を省略する。
【００７４】
なお、ギャップ周期の決定をＵＥが自由にするのではなく、基地局側にてガイドライン
を設定し、ＵＥに通知することも可能である。例えば、ＵＥの移動速度を元にギャップ周期を決定する場合には、ギャップ頻度が高いか、低いかを決めるＵＥの移動速度の閾値をＵＥに通知することなどが考えられる。この場合には、ＵＥは基地局から示されたガイドラインに従いギャップの周期を決めることになる。
【００７５】
また、基地局側からギャップ周期の候補をＵＥに通知しておくことも可能である。具体的には、ギャップ周期が標準化で三つ以上準備されている時などに、どのギャップ周期内で選択するかをＵＥに通知することが可能である。現在標準化が行われている、３ＧＰＰ
ＬＴＥにおいては、４０ｍｓと８０ｍｓの二つの周期が定義されている。そのため、本発明の実施の形態２に係るＵＥとしては４０ｍｓを選択するか、８０ｍｓを選択するかのみとなる。ただし、将来的に２０ｍｓや１６０ｍｓ等のギャップ周期が追加されることも考えられるため、その場合に候補を絞ることで基地局のオペレーションにあった選択をＵＥに行わせることができる。
【００７６】
このように実施の形態２によれば、ＵＥの受信状態に応じて、ＵＥ主導ＧＰを使用した測定の頻度を制御することにより、ＵＥの受信状態が良くない場合には、短い周期のＵＥ主導ＧＰを用いて測定頻度を多くし、ハンドオーバーに備えることができ、ＵＥの受信状態が良好な場合には、長い周期のＵＥ主導ＧＰを用いて測定頻度を少なくし、ＵＥの消費電力を低減することができる。
【００７７】
（実施の形態３）
図８は、本発明の実施の形態３に係るＵＥ６００の構成を示すブロック図である。図８が図１と異なる点は、ギャップパターン設定部１０４を削除し、測定レポート生成部１０３を測定及びＵＥ主導ＧＰ情報生成部６０１に変更し、ギャップ確認部１０５をＵＥ主導ＧＰ確認部６０２に変更した点である。
【００７８】
測定及びＵＥ主導ＧＰ情報生成部６０１は、測定レポーティング基準が満たされたとき、各設定情報を生成してこれらの情報を測定レポートに含める。また、測定及びＵＥ主導ＧＰ情報生成部６０１は、ＵＥ６００からのＣＱＩ報告に要する時間を含めたＵＥ主導ＧＰ期間パラメータを決定し、決定したＵＥ主導ＧＰ期間パラメータを設定すると共に、この設定情報を測定レポートに含めて基地局２００に送信する。延長されたＤＲＸアクティブ期間内において測定レポートが送信された場合、レポーティング通知をＵＥ主導ＧＰ確認部６０２に出力する。
【００７９】
ＵＥ主導ＧＰ確認部６０２は、現在のＤＲＸ及び次のＤＲＸサイクルのどちらにおいてＵＥ主導ＧＰを開始するかを、ＵＥ主導ＧＰ期間パラメータを使用して確認する。ＵＥ主導ＧＰを開始する位置をＵＥ主導ＧＰ期間パラメータに基づいて決定すると、ＵＥ主導ＧＰ確認部６０２において、ＵＥ主導ＧＰを設定する。
【００８０】
図９は、図８に示したＵＥ６００と図２に示した基地局２００とのシグナリングフローを示す図である。図９は、ＵＥ６００が、ＵＥ主導ＧＰ期間パラメータを決定して、ＵＥ主導ＧＰを現在のＤＲＸサイクルにおいて開始するのか、次のＤＲＸサイクルにおいて開始するのかを確認する例を示している。
【００８１】
ＵＥ６００は、測定設定情報を格納し、測定部１０２において処理して測定を行う。測定レポーティング基準が満たされたとき、ＵＥ６００は、ＵＥ主導ＧＰを決定する基準に基づいてＵＥ主導ＧＰ期間パラメータを決定し、ギャップ情報パラメータを設定する。基準は、チャネル品質インジケータ（ＣＱＩ）の報告に必要な測定に要する時間と、測定のため指定されているギャップ長とに基づくものである。具体的には、チャネル品質インジケータの報告がＤＲＸアクティブの先頭のサブフレームにある場合には、チャネル品質イ
ンジケータの報告に必要な測定に要する時間と、測定のため指定されているギャップ長の和となる。チャネル品質インジケータの報告がＤＲＸアクティブの先頭から２サブフレームにある場合には、チャネル品質インジケータの報告に必要な測定に要する時間と、測定のため指定されているギャップ長の和から１サブフレームを引いた値となる。
【００８２】
このようにＵＥ主導ＧＰ期間パラメータは、ＵＥ６００におけるＣＱＩ報告間隔に関する動作（例えば、ＤＲＸオン期間におけるＣＱＩ報告の位置）を使用して決定することができる。ＵＥ主導ＧＰ期間パラメータを決定すると、測定及びＵＥ主導ＧＰ情報生成部６０１は、3GPP TS 36.331に定義されているように、測定レポートにＵＥ主導ＧＰ情報パラメータ及び測定結果を含めて基地局２００に送信する。
【００８３】
ＵＥ主導ＧＰ情報パラメータを含んでいる測定レポートが送信されると、ＵＥ６００は、ＵＥ主導ＧＰを開始できるＤＲＸサイクルを、ＵＥ主導ＧＰ期間パラメータを使用して確認する。ＵＥ主導ＧＰ確認部６０２は、以下の条件に基づいて、ＵＥ主導ＧＰをＤＲＸオン期間の先頭の直前でアクティブにする。
【００８４】
条件＃１（図９Ａ参照）：（設定されているＤＲＸサイクル−（ＵＥ主導ＧＰ情報パラメータを含む測定レポートが送られたＤＲＸアクティブ期間））＞ＵＥ主導ＧＰ期間
条件＃２（図９Ｂ参照）：（設定されているＤＲＸサイクル−（ＵＥ主導ＧＰ情報パラメータを含む測定レポートが送られたＤＲＸアクティブ期間））≦ＵＥ主導ＧＰ期間
【００８５】
ＵＥ主導ＧＰ情報パラメータを含む測定レポートが送信され、延長されたＤＲＸアクティブ期間の長さが、次のＤＲＸサイクルにおけるＤＲＸオン期間の起点を基準としたときのＵＥ主導ＧＰ期間パラメータの長さと重ならない場合、ＵＥ６００は、ＵＥ主導ＧＰを開始した場合にＤＲＸアクティブ期間が測定と重ならないと考えられる。したがって、ＵＥ６００は、図９Ａに条件＃１として示したように、現在のＤＲＸサイクル内の残りの時間がＵＥ主導ＧＰ期間パラメータの長さと等しい位置において、ＵＥ主導ＧＰを開始する。
【００８６】
ＵＥ主導ＧＰ情報パラメータを含む測定レポートが送信され、延長されたＤＲＸアクティブ期間の長さが、次のＤＲＸサイクルにおけるＤＲＸオン期間の起点を基準としたときのＵＥ主導ＧＰ期間パラメータの長さと重なる場合、ＵＥ６００は、ＵＥ主導ＧＰを開始した場合にＤＲＸアクティブ期間が測定と重なると考えられる。したがって、ＵＥ６００は、図９Ｂに条件＃２として示したように、次のＤＲＸサイクル内の残りの時間がＵＥ主導ＧＰ期間パラメータの長さと等しい位置において、ＵＥ主導ＧＰを開始する。
【００８７】
次に、図８に示したＵＥ６００がＵＥ主導ＧＰ情報パラメータを決定する方法について図１０を用いて説明する。図１０は、図６と共通する部分には、図６と同一の符号を付し、重複する説明は省略する。
【００８８】
ＳＴ７０１では、測定及びＵＥ主導ＧＰ情報生成部６０１は、測定要求レベルに基づいてＵＥ主導ＧＰの反復を決定し、ギャップ反復設定情報をＵＥ主導ＧＰ確認部６０２に出力する。ＵＥ主導ＧＰ確認部６０２は、ＵＥ主導ＧＰを選択する基準リストに基づいて、ＵＥ主導ＧＰ期間パラメータを決定して、ＵＥ主導ＧＰを開始する位置を確認する。また、ＵＥ主導ＧＰ確認部６０２は、ＵＥ６００におけるＣＱＩ報告間隔（例えば、ＤＲＸオン期間のＣＱＩ報告の位置）を使用して、ＵＥ主導ＧＰ期間パラメータの長さを決定できる。
【００８９】
ＵＥ主導ＧＰ確認部６０２は、ＵＥ主導ＧＰ期間パラメータを決定すると、このパラメータとギャップ反復設定情報とを測定及びＵＥ主導ＧＰ情報生成部６０１に出力する。Ｕ
Ｅ６００は、これらの設定パラメータを測定レポートに含めて基地局２００に送信する。ＵＥ主導ＧＰ期間パラメータを測定レポートに含めることにより、ＵＥ６００がＵＥ主導ＧＰを開始する位置を基地局２００に通知することができる。
【００９０】
次に、測定レポートのトリガーに基づいて、ＵＥ６００がＵＥ主導ＧＰを使用する方法について図１１を用いて説明する。図１１は、ＵＥ６００が現在または次のＤＲＸサイクルにおいてＵＥ主導ＧＰを開始する位置を決定する手順を示すフロー図である。ただし、図１１において、図４と共通する部分には図４と同一の符号を付し、重複する説明は省略する。
【００９１】
ＳＴ８０１では、ＵＥ主導ＧＰ確認部６０２が、ＤＲＸアクティブ期間のチェック手順において、ＵＥ主導ＧＰ期間パラメータを使用して、ＤＲＸアクティブ期間がギャップと重なるか否かを確認し、ＵＥ主導ＧＰを開始する位置を決定する。ＤＲＸアクティブ期間がＵＥ主導ＧＰと重なる場合（ＹＥＳ）、ＳＴ８０２に移行し、ＤＲＸアクティブ期間がＵＥ主導ＧＰと重ならない場合（ＮＯ）、ＳＴ３０４に移行する。
【００９２】
ＳＴ８０２では、ＵＥ主導ＧＰ確認部６０２が、ＵＥ主導ＧＰを開始する位置として、次のＤＲＸサイクルにおけるＤＲＸオン期間の起点を基準としたときのＵＥ主導ＧＰ期間パラメータの長さを使用する。
【００９３】
このように実施の形態３によれば、ＵＥ６００からのＣＱＩ報告に要する時間を含めたＵＥ主導ＧＰ期間パラメータと、延長されたＤＲＸアクティブ期間との長さの関係に応じて、ＵＥ主導ＧＰを現在のＤＲＸサイクルにおいて開始するか、次のＤＲＸサイクルにおいて開始することにより、無線通信端末装置の構成上の複雑さを増大することなく、ハンドオーバーの実施に要する時間を短縮することができる。
【００９４】
（実施の形態４）
図１２は、本発明の実施の形態４に係るＵＥ９００の構成を示すブロック図である。ただし、図１２が図１と異なる点は、測定レポート生成部１０３を測定及びギャップ情報生成部９０１に変更し、ギャップ確認部１０５をギャップ修正確認部９０２に変更した点である。
【００９５】
測定及びギャップ情報生成部９０１は、ＵＥ主導ＧＰ情報パラメータと、測定部１０２から出力された測定結果とから設定情報を生成し、測定レポートに含める。測定及びギャップ情報生成部９０１は、基地局２００への測定レポートの送信を行わず、この設定情報をギャップ修正確認部９０２に出力する。
【００９６】
ギャップ修正確認部９０２は、基準リストに基づいてＵＥ主導ＧＰを開始する。基準が満たされると、ギャップ修正確認部９０２は、ギャップパターン設定部１０４に格納されているＵＥ主導ＧＰ開始オフセットを使用し、ＵＥ主導ＧＰを開始する。
【００９７】
ＵＥ９００は、測定レポートを基地局２００に送信するかを、送信基準に基づいて評価する。送信基準が満たされている場合、ＵＥ９００は、ＵＥ主導ＧＰ情報パラメータを設定し、測定レポートを通じて基地局２００に送信する。送信基準が満たされていない場合、ＵＥ９００は、図１３に示したように測定レポートを基地局２００に送信しない。ここで、送信基準とは、他に送受信するデータの有無、ＤＲＸ周期の長さなどである。例えば、他に送受信するデータがある場合には、送信を行っても電力消費の増加を招かないが、他に送受信するデータがない場合には、電力消費を低減するため送信を行わないことが望ましい。また、ＤＲＸ周期が短い場合には、送受信を行っても電力消費の増加を招かないが、ＤＲＸ周期が長い場合には、電力消費を低減するため送信を行わないことが望ましい
。
【００９８】
このような構成を有することにより、ＵＥ９００は、長いＤＲＸ設定を用いるサービスを使用している場合でも、測定レポートを送信するか否かにかかわらず、ＵＥ主導ＧＰを使用して測定を開始することができる。
【００９９】
図１３は、図１２に示したＵＥ９００と図２に示した基地局２００とのシグナリングフローを示す図である。図１３は、ＵＥ９００が長いＤＲＸ設定のサービスを確立しており、測定レポートをただちに送信するか否かにかかわらず、ＵＥ主導ＧＰを開始する場合の例を示している。
【０１００】
ＵＥ９００は、測定設定情報を格納し、測定部１０２において処理して測定を行う。ＵＥ主導ＧＰを開始する基準が満たされたとき、ＵＥ９００は、開始したＵＥ主導ＧＰを使用してただちに測定を開始する。
【０１０１】
ＵＥ主導ＧＰを開始する基準は、サービングセルの無線品質について設定されている閾値に基づくことができる。例えば、ＵＥ９００のサービングセルの無線品質が閾値より低下したとき、ＵＥ９００は、現在のＤＲＸサイクルにおいてＵＥ主導ＧＰを開始する。
【０１０２】
なお、基地局２００が、測定のためのギャップパターンの開始をＵＥ９００と同期させることができるように、ＵＥ９００は、ＵＥ主導ＧＰ情報パラメータを設定して、それを3GPP TS 36.331に定義されているように測定レポートを通じて基地局２００に送信する必要があるか否かも判断する。すなわち、ＵＥ９００が測定レポートを送信する必要があるか否かは、１）ＵＥ９００がダウンリンクデータまたはアップリンクデータの再開を実行することが要求される場合、または、２）ＵＥ９００のＤＲＸアクティブ期間がＵＥ主導ＧＰと重なることが予想される場合、に基づいて判断することができる。さらに言えば、ＵＥ９００は、基地局２００と同期を取る必要があると判断した場合にのみ、測定レポートを送信するためのランダムアクセス手順を使用して測定レポートを送信する。
【０１０３】
図１４は、図１２に示したギャップ修正確認部９０２の動作を示すフロー図である。図１４において、ＳＴ１００１では、ギャップ修正確認部９０２がＵＥ主導ＧＰ情報パラメータ及び測定結果を取得し、長いＤＲＸにおけるＵＥ主導ＧＰの基準に基づいて、ＵＥ９００自身がＵＥ主導ＧＰを使用して別のキャリア周波数の測定を開始する必要があるかを判定する。
【０１０４】
長いＤＲＸにおけるＵＥ主導ＧＰは、サービングセルの無線品質について設定されている閾値に基づいて制御できる。サービングセルの無線品質が閾値より低下したとき、ＵＥ９００は、ＵＥ主導ＧＰ開始オフセットに基づいて、ＵＥ主導ＧＰを開始する。
【０１０５】
ＳＴ１００２では、測定レポートを基地局２００に送信するために利用可能なアップリンクリソースが存在するか否かを判定する。アップリンクリソースが利用可能である場合（ＹＥＳ）、ＳＴ１００３に移行し、アップリンクリソースが利用可能ではない場合（ＮＯ）、ＳＴ１００４に移行する。
【０１０６】
ＳＴ１００３では、ＵＥ主導ＧＰ情報パラメータを含む測定レポートを基地局２００に送信し、ＳＴ１００４では、ＵＥ主導ＧＰを開始する。
【０１０７】
このように実施の形態４によれば、長いＤＲＸが設定されている場合には、測定レポートを送信するか否かにかかわらず、ＵＥ主導ＧＰを開始することにより、無線通信端末装置の構成上の複雑さを増大することなく、ハンドオーバーの実施に要する時間を短縮する
ことができる。
【０１０８】
（実施の形態５）
図１５は、本発明の実施の形態５に係るＵＥ１１００の構成を示すブロック図である。図１５が図１と異なる点は、測定レポート生成部１０３を測定及びギャップ情報生成部１１０１に変更した点である。
【０１０９】
測定及びギャップ情報生成部１１０１は、ＵＥ主導ＧＰの周期を測定頻度に基づいて決定する。さらに、基地局２００によって異なる測定タイプが設定されている場合、ＵＥ１１００は、設定されている測定タイプに対して適切なギャップ長を決定する。
【０１１０】
図１６は、図１５に示したＵＥ１１００と図２に示した基地局２００とのシグナリングフローを示す図である。この図では、ＵＥ１１００が複数のギャップ長を使用するときのシグナリングフローを示している。
【０１１１】
本実施の形態では、ＵＥ１１００は、測定要求レベルと、その測定に使用する個々のギャップの長さとを決定する。これは、ＵＥ１１００が、異なる測定に対して異なるギャップ長を使用するためである。具他的には、インター周波数Ｅ−ＵＴＲＡ、インターＲＡＴ
ＵＴＲＡＮ、インターＲＡＴ ＧＥＲＡＮなどの測定の場合、ＵＥ１１００は、共通のギャップ長を使用して測定を行う。それ以外の測定（例えば、ＷｉＭＡＸ）の場合、ＵＥ１１００は、異なるギャップ長を使用して測定を行う。すなわち、ＵＥ１１００は、設定された測定タイプに基づいて、ＵＥ主導ＧＰを使用する測定に適切なギャップ長を決定することができる。
【０１１２】
ＵＥ１１００の測定部１０２は、設定されている情報に基づいて、ギャップ長を決定する。ＵＥ１１００は、適切なギャップ長を決定すると、ギャップ長パラメータを設定し、測定レポートに含まれるＵＥ主導ＧＰ情報パラメータにこの情報を含める。したがって、ＵＥ１１００は、適切なギャップ長及び適切なギャップ反復を有する、ＵＥ主導ＧＰをアクティブにし、測定レポートを通じて基地局２００に送信する。
【０１１３】
ＵＥ１１００は、図１６に示したように、適切なギャップ反復及びギャップ長を使用してＵＥ主導ＧＰをアクティブにする場合、それらのギャップ関連パラメータをＵＥ主導ＧＰ情報パラメータにセットし、測定レポートを通じて基地局２００に送信する。これにより、基地局２００とＵＥ１１００との間で、ＵＥ主導ＧＰの同期を維持、保証することができる。
【０１１４】
図１７は、図１５に示した測定及びギャップ情報生成部１１０１の動作を示すフロー図である。ただし、図１７において、図６と共通する部分には図６と同一の符号を付し、重複する説明は省略する。図１７において、ＳＴ１２０１では、基地局２００によって設定される測定タイプに基づいて、ＵＥ主導ＧＰのギャップ長は短いギャップ長が最適であるか判定する。インター周波数Ｅ−ＵＴＲＡ、インターＲＡＴ ＵＴＲＡＮ、インターＲＡＴ ＧＥＲＡＮ、インターＲＡＴ ＣＤＭＡ２０００などの測定タイプが設定されており、短いギャップ長が最適である場合（ＹＥＳ）、ＳＴ１２０２に移行する。一方、ＷｉＭＡＸなどの測定タイプが設定されており、長いギャップ長が最適である場合（ＮＯ）、ＳＴ１２０３に移行する。
【０１１５】
ＳＴ１２０２では、ＵＥ主導ＧＰに短いギャップ長を使用する。
【０１１６】
ＳＴ１２０３では、ＵＥ主導ＧＰに長いギャップ長を使用する。
【０１１７】
このように実施の形態５によれば、測定タイプに応じて、ギャップ長を決定することにより、測定タイプ毎に測定に要する時間が異なる場合でも、適切な長さのギャップ長を用いて測定することができるので、測定に要する時間に対するギャップ長の過不足を解消し、ハンドオーバーの実施に要する時間を短縮することができる。
【０１１８】
なお、上記実施の形態におけるレポーティング成功通知信号は、ＨＡＲＱ（Hybrid Auto Repeat reQuest）のＡＣＫを用いてもよい。
【０１１９】
（実施の形態６）
本発明の実施の形態６では、ＵＥが上記実施の形態と異なる方法でギャップを生成する方法を示す。図１８は、本発明の実施の形態６に係るＵＥ１３００の構成を示すブロック図である。図１８が図１と異なる点は、測定レポート生成部１０３を測定レポート生成部１３０１に変更した点と、ギャップ確認部１０５をギャップ候補選択・決定部１３０２に変更した点である。
【０１２０】
測定レポート生成部１３０１は、測定レポート生成部１０３への入力であったレポーティング成功通知信号を除いた点と、ギャップ候補選択・決定部１３０２に対しての入力が、レポーティング成功通知信号ではなく、レポーティング実施通知信号である点が測定レポート生成部１０３と異なる。
【０１２１】
ギャップ候補選択・決定部１３０２は、ギャップパターン設定部１０４から出力されたギャップパターンパラメータ及び測定レポート生成部１３０１から出力されたレポーティング実施通知信号に基づいて、ＵＥ主導ＧＰを開始する位置を決定する。この開始位置とは、ＵＥ１３００が測定を行うためのギャップを開始する位置である。ギャップ候補選択・決定部１３０２は、ＵＥ主導ＧＰを開始する位置を、ギャップ確認部１０５とは異なり、ＵＥに設定されたＵＥ主導ＧＰ作成タイミングを用いて決定する。このＵＥに設定されたＵＥ主導ギャップ作成タイミングは、本実施の形態においては、ギャップパターン設定部１０４から出力されるギャップパターンパラメータに含まれるものとなる。具体的には、ＵＥ主導ＧＰ作成タイミングは、システムフレームナンバー（以下、「ＳＦＮ（System
Frame Number）」と呼ぶ）やサブフレーム（subframe）で明示的に示されるものであり、例えばＳＦＮ ｍｏｄ １０＝３となるＳＦＮのサブフレーム５から、というように示される。なお、ギャップ長、ギャップ反復の制御に関しては、ギャップ確認部１０５と同様に決定する。
【０１２２】
図１９は、図１８に示したＵＥ１３００の動作を示すフロー図である。この図において、ＳＴ１４０１では、測定レポート生成部１３０１が測定レポートを基地局に送信するイベントがトリガーされる。その結果、レポーティングもトリガーされることになる。
【０１２３】
ＳＴ１４０２では、測定レポート生成部１３０１からのレポーティング実施通知信号により、ギャップ候補選択・決定部１３０２は、ＵＥ主導ＧＰ作成タイミングが設定されているか否かを確認する。ＵＥ主導ＧＰ作成タイミングが設定されている（ＹＥＳ）場合、ＳＴ１４０３に移行し、ＵＥ主導ＧＰ作成タイミングが設定されていない（ＮＯ）場合、ＵＥ主導ＧＰが作成できないため、処理を終了する。
【０１２４】
ＳＴ１４０３では、ギャップ候補選択・決定部１３０２は、次のＵＥ主導ＧＰ作成タイミングをＵＥ主導ＧＰの場所と決定する。
【０１２５】
図２０は、図１８に示したＵＥ１３００に対するシグナリングフローを示す図である。基地局は、まず、ギャップパターン設定情報及び測定設定情報を設定する。基地局は、これらの設定情報をＵＥ１３００に送信する。ＵＥ１３００は、基地局から送信された設定
情報を受信及び処理する。ここで、ギャップパターン設定情報として、ＵＥ主導ＧＰ作成タイミングを受信する点が図３と異なる。
【０１２６】
別のキャリア周波数を測定する、または他セルからの受信を実施するためのアイドル期間が必要な場合、ＵＥ１３００は、基地局から受信したＵＥ主導ＧＰ作成タイミングからＵＥ主導ＧＰを決定する。また、ＵＥ１３００は測定レポートを基地局に送信する。
【０１２７】
なお、図２０においては測定レポートの送信後にＵＥ主導ＧＰが作成されているが、ＵＥ主導ＧＰが先に開始されてもかまわない。
【０１２８】
なお、本実施の形態においては、測定レポートを送信することはＵＥ主導ＧＰ作成のための必須要件とはなっていない。そのため、測定レポートを送らないことも可能である。実施の形態１においても説明したように、レポーティングに対するイベントとしてはサービングキャリア周波数の品質が特定の閾値より悪くなった」、「ＣＳＧセルが検出され、ＣＳＧセルの報知情報を受信することが必要となった」などである。特に、このうちの「ＣＳＧセルが検出され、ＣＳＧセルの報知情報を受信することが必要となった」場合には、レポーティングを最初に行わず、ＣＳＧセルの報知情報を受信し、そのＣＳＧセルのセルグローバル識別子（Cell Global Identifier: ＣＧＩ）や、ＣＳＧ識別子（CSG Identifier: ＣＳＧ ＩＤ）等を受信してからレポーティングを実施することなどが考えられる。これは、そのＣＳＧセルはＵＥがアクセス可能なセルなのか、また実際にどのセルなのかを認識するためには、ＣＧＩやＣＳＧ ＩＤといった情報が必要なためである。
【０１２９】
また、ＣＳＧセルが多数設置されているような場合には、ＵＥ主導ＧＰが多く発生することが考えられ、ＵＥのスループットの低下、サービス品質の劣化が起こりうる。この解決策としては、前述のＵＥ主導ＧＰ作成タイミングを限定することが考えられるが、その場合にはＵＥがＣＳＧセルを検出後にＵＥ主導ＧＰを実施するまでに時間がかかるという課題が存在する。そのため、ＵＥ主導ＧＰ作成タイミングを限定するのではなく、ＵＥ主導ＧＰ作成タイミングを使用する頻度を限定することが考えられる。例えば、ＵＥ主導ＧＰ作成タイミングが１秒あたり１０回あったとしても、使用できるのはそのうち２回までにする、また、一度使用したら５００ｍｓは使用しないことなどが考えられる。このようにＵＥ主導ＧＰ作成タイミングを使用する頻度を限定する動作は、基地局がその設定をＵＥに指示するようにしてもよいし、予め決められた動作を行うようにしてもよい。
【０１３０】
また、ＣＳＧセルから報知情報を受信するためには、８０ｍｓのギャップを一度使用することが考えられる。そのため、ギャップ長やギャップ反復を基地局から通知することなしに、ギャップ長を８０ｍｓ、ギャップ反復なし、という設定を常に使用する。または、基地局から指示がない場合には、その設定を使用する等の動作が考えられる。また、８０ｍｓのギャップが必要となる理由は、ＣＧＩや、ＣＳＧ ＩＤが含まれている報知情報、ＳＩＢ１（System Information Block Type 1）が２０ｍｓに一度送信されており、受信品質の良くないＵＥは、それを４回受信して合成することにより、品質向上を図ることが考えられているためである。
【０１３１】
上述のＳＩＢ１受信の動作を図２１に更に詳細に示す。報知情報の取得の際には、最初にＭＩＢ（Master Information Block）を受信する。ＭＩＢの場所は全てのレディオフレーム（Radio Frame:１０ｍｓ間隔であり、１０個のサブフレームを持つ）の先頭のサブフレームと決まっている。このＭＩＢの中にはＳＦＮが含まれている。ＳＩＢ１は、偶数ＳＦＮの６番目のサブフレームで送信される。そのため、ＭＩＢを受信してからＳＩＢ１の送信タイミングが分かることになる。前述の通り、ＳＩＢ１を正確に受信する際に４回の受信合成をする場合があるため、図２１のケース１として示されるように８０ｍｓのギャップを設けることが考えられる。これにより、ＭＩＢを受信し、ＳＩＢ１の送信タイミン
グを検出し、その後ＳＩＢ１の受信を受信成功するまで行うという動作となる。
【０１３２】
しかしながら、ＭＩＢを一度ＣＳＧセルから受信すると、ＵＥはどのタイミングでＳＩＢ１をＣＳＧセルが送信するかが分かるようになる。そのため、ケース２に示すように８０ｍｓのギャップのうち必要な部分のみギャップを設けることも考えられる。このような場合には、ギャップがない場所ではＵＥはもともと接続している基地局と送受信することができる。
【０１３３】
また、その他の動作として、ケース３に示すように、ＳＩＢ１の受信が成功したらギャップを終了することが考えられる。図２１では３度目のＳＩＢ１受信で受信成功となった例を示している。なお、図２１のケース２とケース３を合わせた動作も可能である。
【０１３４】
なお、本発明ではＵＥがＤＲＸを実施していない場合でも、実施することが可能である。それは、ＵＥがＵＥ主導ＧＰを実施する場所はＤＲＸ動作に関わらず基地局にとって予測可能であるためである。
【０１３５】
なお、ＵＥがＵＥ主導ＧＰを行うか否かを、基地局が判断するのには、実施の形態１で示しているように、ＵＥから送信される測定レポートを使用することが考えられる。ここでの測定レポートとしては、前述の通りＲＲＣメッセージとして定義されている測定レポートメッセージ（Measurement report message）でもよいし、ＭＡＣ制御メッセージでも良いし、レイヤ１のメッセージでもよい。また、レイヤ１のメッセージとしてはＣＱＩ報告等が考えられる。
【０１３６】
また、本実施の形態では、図２０に示すように、ＵＥ毎に個別に測定制御情報を送信し、その中にＵＥ主導ＧＰ作成タイミング等を示す場合について説明した。しかしながら、その他の例として報知情報にて送信、または予めルールを決めておく等の動作も可能である。
【０１３７】
また、ＵＥ毎に割り当てている識別子（Identifier）を用いて、ＵＥ主導ＧＰ作成タイミングを決定することも可能である。例えば、TS36.304V8.5.0, User Equipment (UE) procedure in idle modeの７章には、ＵＥがＩＭＳＩ（International Mode Subscriber Identity）と呼ばれる識別子を用いてページング（Paging）を受信するタイミングを決定する方法が示されている。このようにＵＥの識別子を用いて決定する場合には、報知情報や特定のルールを使用しても、ＵＥ毎にＵＥ主導ＧＰ作成タイミングとして異なる場所を指定できるようになる。なお、使用するＵＥの識別子としては、ＩＭＳＩに限る必要はなく、Ｃ−ＲＮＴＩ（Cell Radio Network Temporary Identifier）や、Ｓ−ＴＭＳＩ（SAE Temporary Mobile Station Identifier）などを使用してもよい。
【０１３８】
また、報知情報にて設定を送信、または予めルールを決めておくような場合において、ＵＥ毎、またはセル毎に本動作のオンオフを制御することも考えられる。具体的には、ＵＥ毎に行う場合には、個別のメッセージでオンまたはオフの通知をすることが可能であるし、セル毎に行う場合には、報知情報でオンまたはオフの通知をすることが可能である。
【０１３９】
また、上記各実施の形態でＣＳＧのセルが検出と示したが、これには複数の形態が考えられる。具体的には、（１）ＣＳＧ用に使用されることが決まっているセルの物理識別情報（Physical Cell Identifier）を検出した場合、（２）ＣＳＧ用に使用されることが決まっているセルの物理識別情報を検出し、かつ、そのＣＳＧセルの品質が一定以上、または上位の特定数以内に含まれている場合、（３）ＣＳＧ用に使用されることが決まっているセルの物理識別情報を検出し、かつ、そのセルの物理識別情報がＵＥにとってアクセス可能と思われる場合、（４）ＵＥの位置情報等からＣＳＧのセルがあると想定できる場合
、及び、（１）〜（４）を組み合わせた場合が考えられる。なお、ＵＥの位置情報等からＣＳＧのセルがあると想定できるというのは、ＵＥは、以前ＣＳＧセルに接続した際にその際の位置情報を保存しておき、その付近にＵＥが来た場合には、ＵＥがアクセス可能なＣＳＧセルがあると認識するような動作である。ここで、位置情報の生成としては、ＧＰＳ（Global Positioning System）を使用してもよいし、ＵＥが受信できるその他のセルの情報を保存しておく等でもよい。
【０１４０】
なお、本実施の形態で示したＵＥ主導ＧＰ作成は、他の動作の競合等により処理を中止、または延期することも考えられる。例えば、音声通信のように比較的小さいデータレートで、定期的に送信を行うようなサービスに対して、半固定割り当て（Semi-Persistent scheduling）と呼ばれるスケジューリング方式がある。これは、ＵＥがどのタイミングで送信、または受信するべきかを予め決めておき、そのタイミングで送受信を実施するものである。この半固定割り当てがＵＥに設定されており、ＵＥ主導ＧＰ作成を実施した場合に、その二つが同時に起こるような場合には、どちらかを優先する必要がある。その際に、半固定割り当てを優先することなどが考えられる。
【０１４１】
また、前述の通り半固定割り当てとＵＥ主導ＧＰ作成が衝突する問題を解決する方法としては、半固定割り当てをＵＥ主導ＧＰ作成が起こらないようなタイミングにすることが考えられる。これは、基地局のスケジューリング動作などにより実現することが可能である。
【０１４２】
また、本実施の形態では、測定レポートを送らないことも可能と記載したが、測定レポートを送るか否かを、ＵＥ主導ＧＰ作成を行うのにかかる遅延に基づいて決定してもよい。具体的には、ＵＥ主導ＧＰ作成を特定の時間以内に作成できる場合には、測定レポートを送らないようにし、特定の時間以上かかる場合には、測定レポートを送信し、基地局がギャップを割り当てる動作を促すことが考えられる。なお、ここでの特定の時間は、システムで固定値に決められてもよいし、報知情報等で通知するようにしてもよいし、ＵＥが使用しているサービス等を考慮するために、ＵＥ毎に個別に送信するようにしてもよい。
【０１４３】
上記各実施の形態で示された動作は、組み合わせて実現することが可能である。具体例としては、実施の形態４に示す送信基準を用いて、実施の形態６で示した測定レポートの送信を判断するなどが可能である。
【０１４４】
上記各実施の形態では、本発明をハードウェアで構成する場合を例にとって説明したが、本発明はソフトウェアで実現することも可能である。
【０１４５】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１４６】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１４７】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１４８】
２００９年４月２０日出願の特願２００９−１０１９５８の日本出願及び２００９年６月２４日出願の特願２００９−１４９８７６の日本出願に含まれる明細書、図面及び要約書の開示内容は、すべて本願に援用される。
【産業上の利用可能性】
【０１４９】
本発明にかかる無線通信端末装置及び無線通信方法は、例えば、移動通信システム等に適用できる。
【符号の説明】
【０１５０】
１０１  受信部
１０２  測定部
１０３、１３０１  測定レポート生成部
１０４、２０２  ギャップパターン設定部
１０５  ギャップ確認部
１０６  ＵＥ主導ＧＰ設定部
２０１  測定設定部
２０３  専用信号生成部
２０４  送信部
４０１、９０１  測定及びギャップ情報生成部
６０１  測定及びＵＥ主導ＧＰ情報生成部
６０２  ＵＥ主導ＧＰ確認部
９０２  ギャップ修正確認部
１１０１  測定及びギャップ情報生成部
１３０２  ギャップ候補選択・決定部
【図１】
0005490105.tif 000002
【図２】
0005490105.tif 000003
【図３】
0005490105.tif 000004
【図４】
0005490105.tif 000005
【図５】
0005490105.tif 000006
【図６】
0005490105.tif 000007
【図７】
0005490105.tif 000008
【図８】
0005490105.tif 000009
【図９Ａ】
0005490105.tif 000010
【図９Ｂ】
0005490105.tif 000011
【図１０】
0005490105.tif 000012
【図１１】
0005490105.tif 000013
【図１２】
0005490105.tif 000014
【図１３】
0005490105.tif 000015
【図１４】
0005490105.tif 000016
【図１５】
0005490105.tif 000017
【図１６】
0005490105.tif 000018
【図１７】
0005490105.tif 000019
【図１８】
0005490105.tif 000020
【図１９】
0005490105.tif 000021
【図２０】
0005490105.tif 000022
【図２１】
0005490105.tif 000023